(57)【要約】  システムがユーザのために作動するアクティブモードと、１つ以上スイッチを１つ以上の照明負荷に接続するリンクモードと、１つ以上スイッチを１つ以上の照明負荷から切断するアンリンクモードと、１つ以上スイッチを１つ以上の照明負荷に接続する１つ以上のチャンネルと、１つ以上のチャンネルを接続すると共に、シーンを生成するために全ての接続されたチャンネルで全ての照明負荷を所望の調光レベルに調光するシーンモードとを備える、１つ以上の照明負荷を制御する１つ以上のリモートスイッチを有する照明環境を制御するためのシステム装置。【選択図】図１
2011513937.tif 000002
【特許請求の範囲】
【請求項１】
１つ以上の照明負荷を制御する１つ以上のリモートスイッチを有する照明環境を制御するための装置であって、
１つ以上のスイッチを前記１つ以上の照明負荷に接続するリンクモードと、
１つ以上のスイッチを前記１つ以上の照明負荷から切断するアンリンクモードと、
１つ以上のスイッチを１つ以上の照明負荷に接続する１つ以上のチャンネルであって、前記１つ以上のチャンネルに関連付けられた前記照明負荷のそれぞれに電力値を伝達する１つ以上のチャンネルと、
１つ以上のチャンネルを接続すると共に、シーンを生成するために全ての接続されたチャンネルで照明負荷を所望の調光レベルに調光するシーンモードとを備えることを特徴とする装置。
【請求項２】
ユーザが前記リンク、アンリンク、又はシーンモードのいずれかに入る前に前記装置が既存の状態に復帰するように、ユーザが前記リンク、アンリンク、又はシーンモードのいずれの利用からでもエスケープすることを可能にするためのエスケープモードを更に備える請求項１の装置。
【請求項３】
１つ以上のディスプレイであって、前記チャンネルに関連付けられ、前記１つ以上の照明負荷がスイッチにリンクされるかどうかを表示すると共に、前記チャンネルに接続された１つ以上の照明負荷の調光レベルを表示する１つ以上のディスプレイを更に備える請求項１の装置。
【請求項４】
前記１つ以上ディスプレイは、前記１つ以上の照明負荷に関連付けられたスイッチの数の表示と、前記チャンネル内の照明負荷のタイプに関する表示とを更に備える請求項３の装置。
【請求項５】
前記リンクモードは、前記アクティブモードに復帰する前にユーザがシーン又はチャンネルに複数のスイッチをプログラムすることができる電気技術者モードを更に備える請求項１の装置。
【請求項６】
前記リンクモードは、ユーザが一定時間処置しない場合、アクティブモードに復帰するためのタイマを更に備える請求項１の装置。
【請求項７】
前記チャンネルは、前記照明負荷の点灯又は消灯のため、或いは前記チャンネルから前記照明負荷を接続又は切断するための入力を更に備える請求項１の装置。
【請求項８】
前記チャンネルの入力は、前記チャンネルからリモートスイッチに接続すべく前記入力を操作するための第１のパターンを更に備える請求項７の装置。
【請求項９】
前記チャンネルの入力は、チャンネルをシーンに接続すべく前記入力を操作するための第２のパターンを更に備える請求項７の装置。
【請求項１０】
１つ以上のチャンネルを、共に操作するため、又は互いから切断するために１つ以上のチャンネルを接続するシーン入力を更に備える請求項１の装置。
【請求項１１】
照明負荷、又は複数の照明負荷、又は照明負荷のプログラム、又は前記シーン或いはアクティブモードの複数の照明負荷を暗く或いは明るくする調光入力を更に備える請求項１の装置。
【請求項１２】
前記リモートスイッチは、前記スイッチに関連付けられた照明負荷を予め設定した輝度レベルに点灯又は消灯するのに使用する第１のパターンと、それに関連付けられた照明負荷を暗く又は明るくするのに使用する第２のパターンとを有する請求項１の装置。
【請求項１３】
前記リモートスイッチは、前記照明負荷を全出力で即座に点灯するのに利用する第３のパターンを有する請求項１２の装置。
【請求項１４】
１つ以上の前記リモートスイッチであって、前記照明負荷に前記スイッチをリンクさせるための前記リンクモードのとき使用する第１のパターンを有する１つ以上の前記リモートスイッチを更に備える請求項１の装置。
【請求項１５】
アクティブモードであって、その元で前記リモートスイッチがチャンネル内又はシーン内の１つ以上の前記照明負荷を制御するために用いられるアクティブモードを更に備える請求項１の装置。
【請求項１６】
前記アクティブモードが機能するのを防ぎ、それによっていずれのスイッチによっても照明負荷を起動するのを防ぎ、それによって前記システムに付属された前記照明負荷のメンテナンスをする場合、アクシデントを最小限にすることができるロックアウトを更に備える請求項１５の装置。
【請求項１７】
１つ以上の照明負荷を制御する１つ以上のリモートスイッチを有する照明環境を制御するための方法であって、
１つ以上の前記リモートスイッチを前記１つ以上の照明負荷にリンクし、
前記１つ以上の照明負荷と前記１つ以上の照明負荷に電力を伝達するためのチャンネルとを関連付け、
１つ以上の前記チャンネルを接続し、
前記チャンネルに関連付けられた前記照明負荷をシーンを生成するために所望の調光レベルに調光することを特徴とする方法。
【請求項１８】
ユーザが前記スイッチと前記照明負荷との関係の再構築を望むときに、１つ以上のスイッチを前記１つ以上の照明負荷から、或いはチャンネルをシーンからアンリンクする請求項１７の方法。
【請求項１９】
アクティブモードの元で前記リモートスイッチがチャンネル内又はシーン内の１つ以上の前記照明負荷を制御するために用いられる請求項１７の方法。
【請求項２０】
調光のプリ設定レベルのために前記照明負荷に関連付けられた第１のパターンを用いてスイッチをプレスすることにより前記１つ以上の負荷を点灯し、  
所望の調光レベルが達成されるまで第２のパターンを用いて前記スイッチをプレスすることにより前記１つ以上の照明負荷の調光レベルを変更し、
第３のパターンを用いて前記照明負荷をプレスすることにより前記１つ以上負荷を一瞬にして完全にオン又はオフにする請求項１７の方法。
【請求項２１】
リンク、アンリンク、又はシーンの生成を止め、
前記リンク、アンリンク、又はシーン生成のいずれかに入る前に既存の状態に復帰する請求項１７の方法。
【請求項２２】
照明負荷に関連したスイッチの数を表示し、
前記チャンネルで利用された負荷のタイプを表示し、
前記チャンネルの調光レベルを表示する請求項１７の方法。
【発明の詳細な説明】
【技術分野】
【０００１】
この出願は、照明制御システム、特に、ワイヤレス照明制御システムに関する。
【背景技術】
【０００２】
この出願は、２００８年３月５日に出願された米国仮出願番号第６１／０３３，８３８号について優先権を主張する。
【０００３】
住宅のワイヤレス照明制御システムのようなワイヤレス照明制御システムでは、受信機に接続されると共に複数のワイヤレススイッチによって制御可能な照明負荷がある場合がある。
【発明の概要】
【発明が解決しようとする課題】
【０００４】
スイッチを照明負荷にリンクすることは一般の消費者にとって複雑な作業であることがある。
【課題を解決するための手段】
【０００５】
システムがユーザのために作動するアクティブモードと、１つ以上のスイッチを１つ以上の照明負荷に接続するリンクモードと、１つ以上のスイッチを１つ以上の照明負荷から切断するアンリンクモードと、１つ以上のスイッチを１つ以上の照明負荷に接続する１つ以上のチャンネルと、１つ以上のチャンネルを接続すると共にシーンを生成するために全ての接続したチャンネルで全ての照明負荷を所望の調光レベルに調光するシーンモードとを有する、１つ以上の照明負荷を制御する１つ以上のリモートスイッチを有する照明環境を制御するためのシステム装置。
【０００６】
ユーザがその人のニーズを満たすようにスイッチングシステムをプログラムすることを望むならば、インタフェースは照明環境をカスタマイズする比較的容易な方法を提供する。インタフェースは、いかなるスイッチ又はスイッチの組み合わせを有するいかなる負荷又は負荷の組み合わせであっても電力を供給するための柔軟性をユーザに与え、特定の効果（例えば、シーン）を生成するためのいかなる負荷又は負荷の組み合わせであってもそれら１つ又は多数の負荷のためにユーザが調光することを可能にし、制御を最適化すると共に負荷の寿命を最大にする手助けをするために制御される負荷のタイプに関する入力を受信し、全ての負荷のための調光の度合いと各負荷に結びつけられたスイッチの数とを表示し、その一方でプログラム又はプログラムを変更するためにユーザが尽くす労を最小限にする。また、ユーザは、少数又はいくつかの調光、スイッチ、又は負荷の組み合わせをプログラムすることを簡単に選択することができる。
【０００７】
本発明のこれらと他の特徴は、以下の記述、図面、以下のその簡単な説明から最も良く理解できる。
【図面の簡単な説明】
【０００８】
【図１】図１は、受信機を含むワイヤレススイッチングアプリケーションの例を概略的に図示する。
【図２】図２は、図１の受信機のユーザインタフェースの例を図示する。
【図３ａ】図３ａは、図２のユーザインタフェースのためのチャンネルディスプレイを図示する。
【図３ｂ】図３ｂは、白熱負荷が表示される図２のチャンネルディスプレイを図示する。
【図３ｃ】図３ｃは、蛍光負荷が表示される図２のチャンネルディスプレイを図示する。
【図４】図４は、スイッチリンク方法を概略的に図示する。
【図５】図５は、スイッチアンリンク方法を概略的に図示する。
【図６】図６は、シーンプログラミング方法を概略的に図示する。
【図７】図７は、図２のユーザインタフェースの調光ボタンを用いるための方法を概略的に図示する。
【図８】図８は、図２のユーザインタフェースのチャンネルボタンを用いるための方法を概略的に図示する。
【図９】図９は、図２のユーザインタフェースのシーンボタンを用いるための方法を概略的に図示する。
【図１０】図１０は、ワイヤレスバッテリレススイッチのシングルプレスのための方法を概略的に図示する。
【図１１】図１１は、ワイヤレスバッテリレススイッチのプレスアンドホールドのための方法を概略的に図示する。
【図１２】図１２は、ワイヤレスバッテリレススイッチのダブルプレスのための方法を概略的に図示する。
【図１３】図１３は、図２のユーザインタフェースのエスケープボタンのための方法を概略的に図示する。
【図１４】図１４は、システムのワイヤレススイッチングアプリケーションをメンテナンスするための方法を概略的に図示する。
【発明を実施するための形態】
【０００９】
図１は、ワイヤレスバッテリレススイッチングアプリケーション１０を概略的に図示する。ワイヤレスバッテリレススイッチ１２は受信機１４と通信する。１つのワイヤレスバッテリレススイッチは、Ｖｅｒｖｅ  Ｌｉｖｉｎｇ  Ｓｙｓｔｅｍｓの製品ナンバーＸ３１００から利用可能である。受信機１４は電源１６に結合され、ユーザがプログラムされたシステムを利用することができる「アクティブモード」中に、スイッチ１２からの信号に応じて複数のチャンネル１８に選択的に電力を供給する。１つの例では、スイッチ１２はオン部分１２ａとオフ部分１２ｂを有し、オン部分１２ａがプレスされるとき、スイッチはオン信号を送り、オフ部分１２ｂがプレスされるとき、スイッチはＯＦＦ信号を送る。別の例では、シングルプレスオンは照明負荷を最終の調光レベルまで明るくさせ、シングルプレスオフは照明負荷を完全にオフに薄れさせ、ダブルプレスオンは照明負荷を即座に１００％オンに変化させ、ダブルプレスオフは照明負荷を即座にオフに変化させる。プレスアンドホールドは所望の照明レベルまで暗く又は明るくすることができる。また、スイッチ１２は、プログラミング機能を実行するために、３連続プレスのような特殊なプレスパターンで起動されることがある。一定のプレスパターンが上述されたが、他のプレスパターンを利用できることが理解される。
【００１０】
受信機１４は、図２に示されると共に以下に論じられるディスプレイ２０におけるボタンのようなプログラミング入力装置と相互に作用する無線周波数（「ＲＦ」）処理モジュール２１と通信する。ＲＦ処理モジュール２１は、Ｖｅｒｖｅ  Ｌｉｖｉｎｇ  Ｓｙｓｔｅｍｓの製品ナンバーＸ２１１０から利用可能である。例の受信機１４は多重チャネルを有するが、受信機が単一チャンネルを有し、２つより多いか又は少ないアイテムに結合されることがあることが理解される。チャンネル１８は、照明負荷又は切替えられたレセプタクルのような負荷に接続されることがある。
【００１１】
さて、図２を参照すると、ディスプレイ２０は、ユーザが迅速且つ効率的に照明制御及び照明環境（図示せず）中のシーンをセットアップすることを可能にするいくつかの方法でＲＦ処理モジュールと相互に作用し、ここに記述されるようにシャットオフ及び／又は調光される。シーンは、通常１つ以上のスイッチによって同時に起動することができる１つ以上の照明負荷である。
【００１２】
ディスプレイ２０は、ディスプレイからのユーザ入力を処理するＲＦモジュール２１のユーザインタフェースである。インタフェースは、複数のボタンと、表示器と、チャンネル表示器１８ａ−１８ｊとそれぞれがＬＥＤ２５を含むプレスボタン２４ａ−ｊに関連するそれらの特定の負荷指示計１９ａ−ｊとを含むディスプレイと、特定のシーンボタン４２−４８に関連するシーンボタン４０と、調光制御ボタン５０，５２と、リンクボタン３６と、アンリンクボタン３８と、モード標識３１と、エスケープボタン５４とを含んでいる。
【００１３】
図３ａを参照すると、ディスプレイ２０は、チャンネルディスプレイ２２と、リンク標識２６と、２桁コネクタディスプレイ２７と、電球タイプ表示器２８と、輝度レベル表示器３４とを更に含んでいる。
【００１４】
再び図２を参照すると、ユーザインタフェース２０は、それぞれがアレイのような容易に利用可能な方式で配置されたチャンネル名１９と、チャンネルディスプレイ２２（図３ａ−ｃ参照）と、１０個の各チャンネル１８ａ−ｊのためのチャンネルボタン２４とを含んでいる。この例では、チャンネル１８ａ−ｃはダイニングルーム灯に対応し、チャンネル１８ｄ−ｆはリビング灯に対応し、チャンネル１８ｇは玄関の入口灯に対応し、チャンネル１８ｈは階上のホール灯に対応し、チャンネル１８ｉ−ｊはキッチン灯に対応する。ボタン２４ａ−ｊのそれぞれは、点滅、或いはオン又はオフのどちらかによってチャンネルの状態を表示するために隣接した表示器ＬＥＤ２５を含んでいる。複数のＲＣ１４は、環境中の１０以上のチャンネルの制御を容易にするために、家屋、ビル、及び／又は戸外のような環境を含むことができる。ウィンドウ３１は、モジュール２１が「アクティブ」、「リンク」、又は「アンリンク」モードにあるかどうかを表示する。
【００１５】
図３ａは、ディスプレイ２２の例を図示する。そのディスプレイは、チャンネルが負荷に現在接続されているかどうかを表示する状況標識２６と、チャンネルにリンクされたスイッチの数を表示する２桁ディスプレイ２７とを含んでいる。しかしながら、他の桁数を表示できることが理解される。１つの例では、チャンネルにリンクされるスイッチの最大数は３０である。また、ディスプレイ２２は、照明負荷が省エネルギー用のコンパクトな蛍光灯３０又は白熱電球３２かどうか表示する電球タイプ２８を更に含んでいる。輝度表示器３４は、負荷の調光を変更すべく変化する電力によって、チャンネルに接続された照明負荷の電力レベルを啓発する。
【００１６】
図３ｂは、チャンネル１のディスプレイ２２ａを図示し、図３ｃは、チャンネル２のディスプレイ２２ｂを図示する。ディスプレイ２２ａ−ｂは、リンクしたスイッチの数２７を省略するが、これを表示できることが理解される。ディスプレイ２２ａ−ｂは、完全な輝度レベルにある（３４ａ−ｂ参照）。ディスプレイ２２ａは蛍光灯照明負荷３２に対応し、ディスプレイ２２ｂはコンパクトな蛍光灯のような省エネルギー用の電球３０に対応するが、当業者は他の省エネルギー電球の使用がこの用途に適切であることを認識するだろう。
【００１７】
ここに示されるように、ユーザはその人の照明要求を達成すべく、ＲＣを利用／プログラムするためのいくつかの選択権を有する。例えば、照明負荷のプログラムは、図４に描かれるようにリンクボタン３６のプレス、図６に描かれるようにシーンボタン４０のプレス、図８に描かれるようにチャンネルボタン１８のプレス、又は図９に描かれるようにシーンボタン４０のホールドアンドプレスによって開始され達成される。同様に、調光は、図７に描かれるように調光ボタン５０，５２をプレスすることにより、或いは図１１に示されるように期間のためのスイッチボタンをプレスアンドホールドにより達成することができる。負荷は、図５に描かれるようにアンリンクボタン３８のプレスにより、或いは図８に描かれるようにチャンネルボタン１８ａ−ｊのプレスによりアンリンクされる。負荷は、図５に描かれるようにアンリンクボタン３８のプレスにより、或いは図８に描かれるようにチャンネルボタン１８ａ−ｊのプレスによりアンリンクされ、図７に描かれるようにそれがプレスアンドホールドされるなら負荷を暗くするか明るくすることができ、また、スイッチのダブルプレスは、図１２に描かれるように負荷を完全なオン又はオフに即座に変えることができる。
【００１８】
プログラミングに向けての最初のステップとして、ユーザは、モードディスプレイ３１とエスケープボタン５１を見ることにより、適切なモードにＲＣをおかなければならない。モードディスプレイが、要求されたモード（例えば、リンク、アンリンク、シーン又はアクティブモード）でない場合又はディスエーブルアイコンが点灯されている場合、ユーザは、システムがおかれているモードを参照するボタンをプレスすることにより、最初にシステムをアクティブモードにおかなければならない。例えば、ウィンドウが、ＲＣがエスケープモードであることを示すために点灯される場合、アクティブモードに復帰するためにエスケープボタンをプレスしなければならない。同様に、システムモードディスプレイがシステムがアンリンクモードであることを示す場合、アクティブモードに復帰するためにアンリンクボタン３８をプレスしなければならない。
【００１９】
図４は、自励スイッチ１２がチャンネル１８にリンクすることができ、それによって「ユーザリンクモード」又は「電気技術者リンクモード」のいずれかを介して負荷にリンクすることができるスイッチリンクプロセス１００を概略的に図示する。どちらのプロセスも少数又は多数のプログラミングのために用いることができるが、ユーザリンクモード１０１は少数の負荷又は負荷と照明レベル（「シーン」）の組み合わせがプログラムされることになっているときの利用を意図されており、電気技術者リンクモード１０２は比較的多数の負荷又は負荷の組み合わせがプログラムされることになっているときの利用を意図されている。しかしながら、電気技術者リンクモードが、ステップ１０４で示されるようにアクティブモードに復帰するべき処置を講ずることをユーザに要求している間、ユーザリンクモードは、アクティブモードに復帰すべく、ステップ１０３で示されるようにタイムアウトするだろう。
【００２０】
一方のプログラミングモードに入るために、ユーザはリンクボタン３６をプレスする（ステップ１０１と１０２）。用語「リンク」又は同種のものがモードウィンドウ３１に現われる（図２参照）。ユーザがリンクボタン３６をプレスアンドリリースすれば、システムは「ユーザリンクモード」に入る（ステップ１０１）。リンクボタン３６が短期間プレスアンドホールドされるならば、システムは「電気技術者リンクモード」に入る（ステップ１０２）。一方のモードに入ることで、チャンネルが選択されるまで、チャンネル１８ａ−ｊに関係のある全てのＬＥＤ２５が点滅する。
【００２１】
チャンネル１８ａの例を用いると、ユーザはリンクボタン３６をプレスアンドホールドし（システムを電気技術者モードに入れて）、ユーザが望むならば（ステップ１０５のように）、その後ダイニングルームのシャンデリアに対応するチャンネル１８ａのためのチャンネルボタン２４ａをプレスする。ダイニングルームのシャンデリアは、そのチャンネルのＬＥＤ２５と協調しながらオンとオフの点滅を開始する。スイッチ１２のようなスイッチの起動（ステップ１０５）３回で、ダイニングルームのシャンデリアは前もって定義した期間完全にオンに変わり、その後調光された前の照明レベルに復帰する。そのとき、スイッチ１２はチャンネル１８ａにリンクされ、ダイニングルームのシャンデリアに伝えられる電力を制御するために操作可能である。しかしながら、ユーザモードでは、スイッチがリンクした直後にＲＣがアクティブモードに復帰し、モードディスプレイは「アクティブ」を示す。電気技術者モードがタイムアウトしないので、ユーザは追加のスイッチを選択されたチャンネルにリンクし続けることができる。ユーザは、再びリンクボタンをプレスすることにより電気技術者モードを終了することができる（ステップ１０４）。
【００２２】
ユーザモード（ステップ１０６）では、あまりにユーザによる処置のない時間が経過したならば、「リンクモード」を終了し「アクティブモード」に入ることによりＲＣはタイムアウトする（ステップ１０３）こと以外は、プロセスが類似している。プロセス１００は、単一のスイッチ１２を多重チャンネル１８にリンクするか、或いは複数のスイッチ１２を単一又は多重チャンネル１８にリンクするために繰り返されるだろう。
【００２３】
ユーザは、さらに、望むならば、シーンボタン４２，４４，４６，又は４８のいずれかをプレスすることにより、シーンを生成するために、ユーザ（ステップ１０６）又は電気技術者モード（ステップ１０７）のいずれかの選択権を有する。通常モードでは、チャンネルの１つを選び、スイッチ１２からのスリープレスの後に、スイッチとシーンに関連するチャンネルを加える。電気技術者モード（ステップ１０７）では、ステップ１０６で示されるようにチャンネルとスイッチを３回プレスした後、システムは、シーンへ別のチャンネルを加えるか（ステップ１０８）、又はチャンネルへ別のスイッチを加える機会をユーザに与える。しかしながら、そのシーンを調光することは、ここに論じられるのと同様に図６で示されるプロセスによって制御される。ユーザは、リンクボタンを２回プレスすることにより電気技術者モードを終了する（ステップ１０４）。
【００２４】
図５はスイッチアンリンクプロセス１１０を概略的に図示する。ユーザはアンリンクボタン３８をプレスし（ステップ１１２）、用語「アンリンク」又は同種のものがモードウィンドウ３１に現われる（図２参照）。ユーザが単一のチャンネル１８からのスイッチ１２のアンリンクをしたければ（ステップ１１１）、ユーザはチャンネルボタンを選択し、次に、２つのアンリンクのためにリンクしたスイッチ１２を３回プレスする。ユーザがシーンからのスイッチのアンリンクをしたければ（ステップ１１２）、ユーザはシーンボタン４２−４８をプレスし、次に、シーンからそのスイッチを取り除くためにスイッチ１２を３回プレスする。ユーザがチャンネル又はシーンからスイッチをすべて切断したければ（ステップ１１３）、ユーザは関連するチャンネルボタン又はシーンボタンのいずれかをプレスアンドホールドし、そのチャンネル又はそのシーンに関連した全てのスイッチをそこからアンリンクされる。ユーザがスイッチからチャンネル又はシーンを全て切断したいならば（ステップ１１４）、アンリンクモードにおけるユーザは単に関連するスイッチ１２を３回プレスする。アンリンクモードは、上述された処置の後、処理モジュール２１がユーザインタフェースをアクティブモードに復帰させることを可能にするために単にタイムアウトする。
【００２５】
図６は、シーンボタン４０、シーン選択ボタン４２，４４，４６，４８，及び調光ボタン５０，５２に対応するシーンプログラミングプロセス１３０を概略的に図示する。方法１３０は、シーンボタン４２−４８の１つが、各選択されたチャンネルのために前もって定義した調光レベルに照明の多重チャンネルを起動することができるように、「シーン」をプログラムするために実行されるだろう。シーンボタン４０は起動される（ステップ１３１）。そのとき、ユーザは、シーンを選択するためにシーン選択ボタン４２−４８をプレスし（ステップ１３２）、そのとき選択されたシーンボタン上に点灯されたアスタリスク４５（図２参照）が現れるだろう。チャンネルはチャンネルボタンのプレスアンドホールドにより解除され、そのポイントで全てのチャンネル表示器が解除を示すために消灯される（ステップ１３３）。チャンネルに関連した負荷は調光が可能ならばオフに向けて暗くなり、また、調光が不可能ならばオフになるだろう（ステップ１４４）。チャンネルは関連するチャンネルボタンのプレスによりシーンへ加えられ（ステップ１３５）、そのポイントで全てのチャンネル表示器は調光がプログラムされないならばオンに、また、調光が可能になっているならば前の輝度のレベルまで傾斜するだろう（ステップ１３６）。
【００２６】
一旦チャンネルが加えられたならば、ＲＣは、シーンがユーザによって求められるような調光を含んでいることができるように、チャンネルとその対応するパワー表示器３４の輝度を増加させるか減少させるために調光ボタン５０，５２を利用する（ステップ１４２）。ユーザがチャンネルを加えるためにシーンボタンをプレスした後に、前もって定義した量の時間に何もプレスしなければ、プロセスはタイムアウトし（ステップ１４４）、ユーザインタフェース２０は「アクティブモード」に復帰するだろう。
【００２７】
図７は、調光ボタン５０、５２を用いるためのプロセス１５０を概略的に図示する（ステップ１５２）。ユーザインタフェース２０がシーンモードでなく、チャンネルボタン２４がプレスされていないならば、ユーザインタフェースは何もしない（ステップ１５４）。ユーザインタフェース２０がシーンモードでなく、チャンネルボタン２４がプレスされたならば、調光ボタン５０は、選択されたチャンネルのための輝度表示器３４を１段階（いくつかの段階変化は１つのバー変化に生じる）減少させ（ステップ１５６）、さらに選択されたチャンネルに結合された照明負荷の輝度を同様に減少させるだろう。ユーザインタフェース２０がシーンモードでなく、チャンネルボタン２４がプレスされたならば、調光ボタン５２は、選択されたチャンネルのための輝度表示器３４を１段階（いくつかの段階変化は１つのバー変化に生じる）増加させ（ステップ１５８）、さらに選択されたチャンネルに結合された照明負荷の輝度を増加させるだろう。ユーザインタフェースがシーンモードであり、チャンネルが選択されたならば、調光ボタン５０，５２はシーン内のチャンネルの輝度を増加させるか減少させるだろう（ステップ１６０，１６２）。ユーザが、調光ボタン５０、５２の１つをプレスした後に前もって定義した量の時間に何もプレスしなければ（ステップ１５２）、プロセスはタイムアウトし（ステップ１６３）、ユーザインタフェース２０は「アクティブモード」に復帰するだろう。
【００２８】
図８は、チャンネルボタン２４ａ−２４ｊを用いるためのプロセス１７０を概略的に図示する。図３ａに示されるように、電球タイプが変更される場合（ステップ１７１）、その電球にリンクされたチャンネルボタンはプレスアンドホールドされ、表示器２８が別の電球タイプにトグルするだろう。ユーザがチャンネルにリンクされた負荷の点灯を望むならば（ステップ１７２）、チャンネルボタンがそれらの前の輝度レベルにリンクした負荷を点灯するためにプレスされる。ユーザがチャンネルに関連した負荷の消灯を望むならば（ステップ１７３）、ユーザはチャンネルに関連した全ての照明負荷を消灯するためにチャンネルボタンをプレスする。
【００２９】
ユーザがチャンネルに関連した照明負荷を調光することを望むならば（ステップ１７４）、ユーザはチャンネルボタンをプレスし、次に、１階段の増加によってチャンネルを上方調光又は下方調光するためにボタン５０、５２を用いる。ステップ１７１−１７４のアクションのどの後も、ＲＣはタイムアウトし、アクティブモードに復帰するだろう。
【００３０】
図９は、シーンボタン４２−４８を利用するための方法１８０を示す。ユーザがシーンの変化を望むならば、ユーザはシーンボタン４２−４８のいずれかをプレスすることで、関連するチャンネルが輝度の設定レベルに変化するだろう。もしシーン照明のいずれかが既にオンならならば、それらは、輝度のレベルを現行のシーンセッティングに変えるだろう。シーンオフへの変化を望まれるならば、同様に、適切なシーンボタンのプレスはシーンオフに変えるだろう。
【００３１】
図１０−１２は、照明装置中のＲＣと共にバッテリレスワイヤレススイッチ１２を利用するためのいくつかの方法を概略的に図示する。例えば、シングルプレス、プレスアンドホールド、ダブルプレス及びトリプル（又は当業者が容易に認識できるであろう他のシーケンス及び組み合わせ）はユーザの要求を達成するために用いられても良い。
【００３２】
図１０は、スイッチシングルプレスが制御装置２１（図１参照）によってどのように判断されるか示す（ステップ１９０）。スイッチオンにリンクしたチャンネルの変化のためにスイッチ１２のシングルプレスが受信されたならば（ステップ１９１）、チャンネル及び関連する照明負荷は最終のプログラムされた輝度のレベルに変えられる。もし負荷がオンで調光されたならならば、それは即座にオンに変わるだろう。同様に、スイッチオフにリンクしたチャンネルの変化のためにスイッチ１２のシングルプレスが受信されたならば（ステップ１９２）、チャンネル及び関連する照明負荷は消灯するだろう。もし負荷が予め暗くされたならば、それはオフまで暗くなるだろう。
【００３３】
さらに図１１を参照すると、スイッチシングルプレスを利用する方法２００が示される。スイッチがチャンネルにリンクされ、ユーザがより高い照明レベルを望み、スイッチがプレスアンドホールドオンされるならば（ステップ２０１）、チャンネルがその既存の状態からある割合（ステップ２０１）で上方調光されるだろう。スイッチは、所望する調光の度合いが達成されるまでホールドされる。スイッチがチャンネルにリンクされ、スイッチがプレスアンドホールドオフされるならば、スイッチへのリンクした全てのチャンネルはそれらの前の既存の状態からある割合（ステップ２０２）で下方調光される。チャンネルがオフ状態まで下方調光されるならば、オンにされたとき、輝度の最低レベルがチャンネルのためのデフォルト値として用いられる（ステップ２０６）。
【００３４】
ここで図１２を参照すると、チャンネル１８及びシーン４２−４８を制御するためのダブルプレスを利用する方法２１０が示される。スイッチ１２がダブルプレスオンで、スイッチがチャンネル又はシーンにリンクされるならば、チャンネル又はシーンは傾斜アップされることなしに全出力で即座に運転されるだろう（ステップ２１１）。同様に、ダブルプレスがオフであるならば、リンクしたチャンネル及びシーンは傾斜ダウンされることなしに即座に消灯される（ステップ２１２）。
【００３５】
ここで図１３を参照すると、エスケープモード２３０（本質的にはやり直しモード）が示される。エスケープボタン５４（図４参照）がプレスされるならば、システムがディスエーブルモードに入ることによってリンク又は電気技術者モード（図４を参照）、アンリンクモード（図５参照）、シーンモード（図６参照）又は調光モード（図７参照）のどれも終了して、ユーザインタフェース２０からの他のどのような入力も拒絶し（ステップ２３６）、エスケープボタンが２回プレスされることでアクティブモードに復帰する（ステップ２３８）。ディスエーブルモードのもう一つの特徴は、ＲＣのレシーバが無効にされ、負荷のメンテナンスが実行されているならば、安全性の理由のために無線通信をロックアウトして、それによりＲＣはどんな受信スイッチ信号にも作用しない。ディスエーブルボタンが２回プレスされるならば、ユーザはアクティブモードに復帰してやり直すことができる。
【００３６】
本発明の好適な実施の形態が示されてきたが、当業者は本発明の範囲内で一定の変更がなされることを認識するだろう。その理由で、以下の特許請求の範囲は本発明の正確な範囲と内容を確定するために検討されるべきである。
【図１】
2011513937.tif 000003
【図２】
2011513937.tif 000004
【図３ａ】
2011513937.tif 000005
【図３ｂ】
2011513937.tif 000006
【図３ｃ】
2011513937.tif 000007
【図４】
2011513937.tif 000008
【図５】
2011513937.tif 000009
【図６】
2011513937.tif 000010
【図７】
2011513937.tif 000011
【図８】
2011513937.tif 000012
【図９】
2011513937.tif 000013
【図１０】
2011513937.tif 000014
【図１１】
2011513937.tif 000015
【図１２】
2011513937.tif 000016
【図１３】
2011513937.tif 000017
【図１４】
2011513937.tif 000018
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
１つ以上の照明負荷を制御する１つ以上のリモートスイッチを有する照明環境を制御するための装置であって、
１つ以上のスイッチを前記１つ以上の照明負荷に接続するリンクモードと、
前記１つ以上のスイッチを前記１つ以上の照明負荷から切断するアンリンクモードと、  前記１つ以上のスイッチを１つ以上の照明負荷に接続する１つ以上のチャンネルであって、前記１つ以上のチャンネルに関連付けられた前記照明負荷のそれぞれに電力値を伝達する１つ以上のチャンネルと、
１つ以上のチャンネルをシーンにグループ化すると共に、前記シーンを表示するために全ての接続されたチャンネルで照明負荷を所望の調光レベルに調光するシーンモードと、 それぞれが選択されたチャンネルに関係する１つ以上のディスプレイとを備え、
少なくとも１つのディスプレイが、
前記１つ以上の照明負荷が前記選択されたチャンネルの前記１つ以上のスイッチにリンクされているかどうかを表示するスイッチ標識と、
前記選択されたチャンネルにおける前記１つ以上の照明負荷のタイプの光源を表示する光源表示器とを備えることを特徴とする装置。
【請求項２】
ユーザが前記リンク、アンリンク、又はシーンモードのいずれかに入る前に前記装置が既存の状態に復帰するように、ユーザが前記リンク、アンリンク、又はシーンモードのいずれの利用からでもエスケープすることを可能にするためのエスケープモードを更に備える請求項１の装置。
【請求項３】
前記１つ以上のディスプレイのそれぞれは、前記選択されたチャンネルが照明負荷に接続されるかどうかを表示するのに使用可能な状況標識と、前記チャンネルに接続された１つ以上の照明負荷の調光レベル表示とを更に備える請求項１の装置。
【請求項４】
前記１つ以上ディスプレイのそれぞれは、前記選択されたチャンネル内における前記１つ以上の照明負荷に関連付けられたスイッチの数の表示を更に備える請求項１の装置。
【請求項５】
前記リンクモードは、前記アクティブモードに復帰する前にユーザがシーン又はチャンネルに複数のスイッチをプログラムすることができる電気技術者モードを更に備える請求項１の装置。
【請求項６】
前記リンクモードは、ユーザが一定時間処置しない場合、アクティブモードに復帰するためのタイマを更に備える請求項１の装置。
【請求項７】
前記チャンネルは、前記照明負荷の点灯又は消灯のため、或いは前記チャンネルから前記照明負荷を接続又は切断するための入力を更に備える請求項１の装置。
【請求項８】
前記チャンネルの入力は、前記チャンネルからリモートスイッチに接続すべく前記入力を操作するための第１のパターンを更に備える請求項７の装置。
【請求項９】
前記チャンネルの入力は、チャンネルをシーンに接続すべく前記入力を操作するための第２のパターンを更に備える請求項７の装置。
【請求項１０】
１つ以上のチャンネルを、共に操作するため、又は互いから切断するために１つ以上のチャンネルを接続するシーン入力を更に備える請求項１の装置。
【請求項１１】
照明負荷、又は複数の照明負荷、又は照明負荷のプログラム、又は前記シーン或いはアクティブモードの複数の照明負荷を暗く或いは明るくする調光入力を更に備える請求項１の装置。
【請求項１２】
前記リモートスイッチは、前記スイッチに関連付けられた照明負荷を予め設定した輝度レベルに点灯又は消灯するのに使用する第１のパターンと、それに関連付けられた照明負荷を暗く又は明るくするのに使用する第２のパターンとを有する請求項１の装置。
【請求項１３】
前記リモートスイッチは、前記照明負荷を全出力で即座に点灯するのに利用する第３のパターンを有する請求項１２の装置。
【請求項１４】
前記１つ以上のリモートスイッチは、ワイヤレス制御信号を送信するために使用可能なワイヤレススイッチである請求項１の装置。
【請求項１５】
アクティブモードであって、その元で前記リモートスイッチがチャンネル内又はシーン内の１つ以上の前記照明負荷を制御するために用いられるアクティブモードを更に備える請求項１の装置。
【請求項１６】
前記アクティブモードが機能するのを防ぎ、それによっていずれのスイッチによっても照明負荷を起動するのを防ぎ、それによって前記システムに付属された前記照明負荷のメンテナンスをする場合、アクシデントを最小限にすることができるロックアウトを更に備える請求項１５の装置。
【請求項１７】
１つ以上の照明負荷を制御する１つ以上のリモートスイッチを有する照明環境を制御するための方法であって、
１つ以上の前記リモートスイッチを前記１つ以上の照明負荷にリンクし、
前記１つ以上の照明負荷と前記１つ以上の照明負荷に電力を伝達するためのチャンネルとを関連付け、
１つ以上の前記チャンネルをシーンにグループ化し、
前記チャンネルに関連付けられた前記照明負荷を前記シーンを表示するために所望の調光レベルに調光し、
前記１つ以上の照明負荷が前記選択されたチャンネルの前記１つ以上のスイッチにリンクされているかどうかを表示するスイッチ標識と、前記選択されたチャンネルにおける前記１つ以上の照明負荷のタイプの光源を表示する光源表示器を表示することを特徴とする方法。
【請求項１８】
ユーザが前記スイッチと前記照明負荷との関係の再構築を望むときに、１つ以上のスイッチを前記１つ以上の照明負荷から、或いはチャンネルをシーンからアンリンクする請求項１７の方法。
【請求項１９】
アクティブモードの元で前記リモートスイッチがチャンネル内又はシーン内の１つ以上の前記照明負荷を制御するために用いられる請求項１７の方法。
【請求項２０】
調光のプリ設定レベルのために前記照明負荷に関連付けられた第１のパターンを用いてスイッチをプレスすることにより前記１つ以上の負荷を点灯し、  
所望の調光レベルが達成されるまで第２のパターンを用いて前記スイッチをプレスすることにより前記１つ以上の照明負荷の調光レベルを変更し、
第３のパターンを用いて前記照明負荷をプレスすることにより前記１つ以上負荷を一瞬にして完全にオン又はオフにする請求項１７の方法。
【請求項２１】
リンク、アンリンク、又はシーンの生成を止め、
前記リンク、アンリンク、又はシーン生成のいずれかに入る前に既存の状態に復帰する請求項１７の方法。
【請求項２２】
照明負荷に関連したスイッチの数を表示し、
前記チャンネルで利用された負荷のタイプを表示し、
前記チャンネルの調光レベルを表示する請求項１７の方法。
【国際調査報告】
2011513937.tif 000019
2011513937.tif 000020